(57)【特許請求の範囲】
【請求項１】
磁気探査を行うための磁気センサの出力に基づく出力信号を時系列に従って取得する取得部、
前記出力信号に応じた出力波形のデータを記録する記録部、
前記出力波形を時系列に従ってリアルタイム表示する表示部、
前記出力波形の波形乱れの原因となり得る障害物に割り当てられた障害物情報付加キーを含み、ユーザ操作を受け付ける入力部、
前記障害物情報付加キーが操作された場合に、前記表示部の表示面上の前記ユーザ操作に応じた入力位置を示す指標画像の表示位置に前記障害物の存在を示す障害物情報を表示させる情報表示部、および
前記障害物情報が表示されている場合に、前記出力波形のデータに、前記障害物情報のデータを紐づけて前記記録部に記録させる情報記録部を備える
磁気探査結果記録装置。
【請求項２】
前記入力部は、前記出力波形に係る出力波形情報に割り当てられた出力波形情報付加キーを含み、
前記情報表示部は、前記出力波形情報付加キーが操作された場合に、前記表示部の表示面上の所定位置に前記出力波形情報を表示させる
請求項１記載の磁気探査結果記録装置。
【請求項３】
前記入力部は、前記障害物情報を削除する機能が割り当てられた削除キーを含み、
前記情報表示部は、前記障害物情報が選択された状態で、前記削除キーが操作された場合に、当該障害物情報を削除する
請求項１または２記載の磁気探査結果記録装置。
【請求項４】
移動可能なコイル式の磁気センサの出力に基づく出力信号を時系列に従って取得する取得部、前記出力信号に応じた波形の出力波形を記録する記録部、前記出力波形を時系列に従ってリアルタイム表示する表示部、および少なくとも前記出力波形の波形乱れの原因となり得る障害物に割り当てられた障害物情報付加キーを含み、ユーザ操作を受け付ける入力部を備える磁気探査結果記録装置の制御方法であって、
前記障害物情報付加キーが操作された場合に、前記表示部の表示面上の前記ユーザ操作に応じた入力位置を示す指標画像の表示位置に前記障害物の存在を示す障害物情報を表示させ、
前記障害物情報が表示されている場合に、前記出力波形のデータに、前記障害物情報のデータを紐づけて前記記録部に記録させる
制御方法。
【請求項５】
移動可能なコイル式の磁気センサの出力に基づく出力信号を時系列に従って取得する取得部、前記出力信号に応じた波形の出力波形を記録する記録部、前記出力波形を時系列に従ってリアルタイム表示する表示部、および少なくとも前記出力波形の波形乱れの原因となり得る障害物に割り当てられた障害物情報付加キーを含み、ユーザ操作を受け付ける入力部を備える磁気探査結果記録装置の制御プログラムであって、
前記磁気探査結果記録装置のコンピュータを、
前記障害物情報付加キーが操作された場合に、前記表示部の表示面上の前記ユーザ操作に応じた入力位置を示す指標画像の表示位置に前記障害物の存在を示す障害物情報を表示させる情報付加手段、および
前記障害物情報が表示されている場合に、前記出力波形のデータに、前記障害物情報のデータを紐づけて前記記録部に記録させる障害物情報記録手段として機能させる
制御プログラム。
【発明の詳細な説明】
【技術分野】
【０００１】
この発明は、例えば、地中に存在する磁性物体を探査した結果を記録する、磁気探査結果記録装置、制御方法、および制御プログラムに関する。
【背景技術】
【０００２】
地中には、戦争で使用された地雷、砲弾または爆弾等が何らかの原因で不発弾となって地中に残されていることがあり、例えば、水道工事等の地中工事中に何らかの衝撃が加えられることで不発弾が爆発し、人的、物的な被害を被るおそれがある。そのため、地下工事を安全かつ円滑に進めるためには、これらの不発弾等の危険物の存在を事前に調査しておく必要がある。
【０００３】
こうした不発弾等の危険物を調査するための背景技術の一例が特許文献１に開示される。背景技術の磁気探査システムでは、細長い棒状の磁気センサを２人の作業員でつり下げて支持し、探査区域内を移動する方法により探査する。磁気センサの移動により、磁気センサ内のコイルに誘導起電力が生じ、誘導起電力に応じた信号が記録装置から出力される。
【０００４】
しかしながら、金属製の構造物等、探査対象物以外の障害物によっても磁気センサ内のコイルに誘導起電力が生じ、誘導起電力に応じた信号が記録装置から出力されてしまうことがある。このように、障害物による波形乱れが生じた場合には、探査対象物であるか障害物であるかを出力結果から判断するのが難しく、探査対象物と障害物との見極めが困難となるという問題がある。
【先行技術文献】
【特許文献】
【０００５】
【特許文献１】特開２０１１−１３３３０８号公報
【発明の概要】
【発明が解決しようとする課題】
【０００６】
この発明は、上述の問題に鑑みて、探査対象物と障害物とを容易に見極めることができる、磁気探査結果記録装置、制御方法、および制御プログラムを提供することを目的とする。
【課題を解決するための手段】
【０００７】
この発明は、磁気探査を行うための磁気センサの出力に基づく出力信号を時系列に従って取得する取得部、前記出力信号に応じた出力波形のデータを記録する記録部、前記出力波形を時系列に従ってリアルタイム表示する表示部、前記出力波形の波形乱れの原因となり得る障害物に割り当てられた障害物情報付加キーを含み、ユーザ操作を受け付ける入力部、前記障害物情報付加キーが操作された場合に、前記表示部の表示面上の前記ユーザ操作に応じた入力位置を示す指標画像の表示位置に前記障害物の存在を示す障害物情報を表示させる情報表示部、および前記障害物情報が表示されている場合に、前記出力波形のデータに、前記障害物情報のデータを紐づけて前記記録部に記録させる情報記録部を備える磁気探査結果記録装置、制御方法、および制御プログラムであることを特徴とする。
【発明の効果】
【０００８】
この発明により、探査対象物と障害物とを容易に見極めることができる。
【図面の簡単な説明】
【０００９】
【図１】この発明の磁気探査システムの構成の一例を示す説明図。
【図２】磁気センサの構成の一例を示す説明図。
【図３】磁気探査方法の一例を示す説明図。
【図４】移動ノイズを含むデジタル値の一例を示すグラフ。
【図５】移動ノイズ発生時における磁気センサの加速度の一例を示すグラフ。
【図６】ノイズ除去処理後のデジタル値の一例を示すグラフ。
【図７】記録画面等の画面構成の説明図。
【図８】設定ウインドウを含む記録画面等の画面構成の説明図。
【図９】障害物情報が表示された場合の記録画面等の画面構成の説明図。
【図１０】障害物情報を削除する場合の記録画面等の画面構成の説明図。
【図１１】解析画面等の画面構成の説明図。
【図１２】異常点一覧画面等の画面構成の説明図。
【図１３】異常点マップ画面等の画面構成の説明図。
【図１４】下方確認探査時における記録画面等の画面構成の説明図。
【図１５】鉛直磁気探査時における記録画面等の画面構成の説明図。
【発明を実施するための形態】
【００１０】
以下、この発明の一実施形態を図面と共に説明する。
＜システム構成＞
【００１１】
図１は磁気探査システム１のシステム構成の一例を示すブロック図である。磁気探査システム１は、地中に存在する危険物などの磁性物体（探査対象物）を探査（検出）するためのシステムである。
【００１２】
図１に示すように、磁気探査システム１は、磁気センサ２、増幅器３および記録装置（記録器）４を含み、磁気センサ２と増幅器３とは、コネクタケーブルを介して接続される。また、増幅器３と記録装置４とは、無線通信可能に接続される。なお、増幅器３と記録装置４とは、有線で接続されてもよい。
【００１３】
図２は磁気センサ２の構成の一例を示す説明図である。図２に示すように、磁気センサ２は、全体として略棒状をなし、移動可能なセンサである。詳しくは、磁気センサ２は、人間が持ち運び可能な可搬型のセンサである。
【００１４】
磁気センサ２は、筒状本体５０およびセンサ部５１を含み、筒状本体５０にセンサ部５１が挿入されて構成されており、筒状本体５０の先端部（一方端部）には先端キャップ５２が取り付けられ、筒状本体５０の基端部（他方端部）にはコネクタキャップ５３が取り付けられている。また、先端キャップ５２には、ゴム製の環状リングであるＯリング５４が取り付けられている。なお、コネクタキャップ５３には増幅器３と接続するためのコネクタケーブルが取り付けられる。また、筒状本体５０の直径や長さは、センサ部５１の大きさに応じて異なる。
【００１５】
センサ部５１は、第１コイル５５および第２コイル５６を含む。第１コイル５５は、パーマロイ製の第１芯材５７に挿通された第１中空部材５８に巻かれている。なお、第１コイル５５は、整列巻きで巻き数を４０，０００ターンとした。但し、第１コイル５５の巻き数は４０，０００ターンに限定されるものではなく、例えば、６０，０００ターンであっても良い。
【００１６】
また、第２コイル５６は、パーマロイ製の第２芯材５９に挿通された第２中空部材６０に巻かれている。なお、第２コイル５６は、第１コイル５５と同じ線材を使用して整列巻きで巻き数を４０，０００ターンとした。但し、第２コイル５６の巻き数は４０，０００ターンに限定されるものではなく、例えば、６０，０００ターンであっても良い。
【００１７】
なお、第１コイル５５と第２コイル５６の組合せは、抵抗値が同じ値のコイルを取り出し、取り出したコイルに一定電流正弦波を流した状態で波形を収集し、その波形の振幅が同じコイルを１組とした。すなわち、第１コイル５５と第２コイル５６とは、抵抗値および一定電流正弦波を流した場合の波形が略同じとなる。
【００１８】
第１芯材５７の一端（先端キャップ５２側の端部）は第１パーマロイ止め６１Ａに取り付けられ、第１芯材５７の他端（コネクタキャップ５３側の端部）は第２パーマロイ止め６１Ｂに取り付けられている。また、第１パーマロイ止め６１Ａおよび第２パーマロイ止め６１Ｂには、ゴム製の環状リングであるＯリング６２が取り付けられている。ここで、第１パーマロイ止め６１Ａは、筒状本体５０の内径と略同一の外径を有しており、先端キャップ５２に隣接して配置されている。また、第２パーマロイ止め６１Ｂも、筒状本体５０の内径と略同一の外径を有している。
【００１９】
さらに、第１芯材５７に挿通され、第１パーマロイ止め６１Ａと第１コイル５５の両者に隣接した状態で第１カラー材６３が配置されている。また、第１芯材５７に挿通され、第１コイル５５と第２パーマロイ止め６１Ｂの両者に隣接した状態で第２カラー材６４が配置されている。
【００２０】
第２芯材５９の一端（先端キャップ５２側の端部）は第３パーマロイ止め６１Ｃに取り付けられ、第２芯材５９の他端（コネクタキャップ５３側の端部）は第４パーマロイ止め６１Ｄに取り付けられている。また、第３パーマロイ止め６１Ｃおよび第４パーマロイ止め６１Ｄには、ゴム製の環状リングであるＯリング６２が取り付けられている。
【００２１】
ここで、第３パーマロイ止め６１Ｃは、筒状本体５０の内径と略同一の外径を有している。また、第４パーマロイ止め６１Ｄも、筒状本体５０の内径と略同一の外径を有しており、コネクタキャップ５３に隣接して配置されている。
【００２２】
さらに、第２芯材５９に挿通され、第３パーマロイ止め６１Ｃと第２コイル５６の両者に隣接した状態で第３カラー材６５が配置されている。また、第２芯材５９に挿通され、第２コイル５６と第４パーマロイ止め６１Ｄの両者に隣接した状態で第４カラー材６６が配置されている。また、第２パーマロイ止め６１Ｂと第３パーマロイ止め６１Ｃとは、アルミニウム製のパイプ６７で接続されている。
【００２３】
このように構成した磁気センサ２では、第１コイル５５および第２コイル５６に磁性物体が所定距離以内に近づくと、コイル内の磁束密度が増加し、コイルには磁束密度の増加を妨げる向きに磁束を発生するような誘導起電力が発生する。一方、第１コイル５５および第２コイル５６と磁性物体との距離が近い状態から、第１コイル５５および第２コイル５６から磁性物体が遠ざかると、コイル内の磁束密度が減少し、コイルには磁束密度を増加させる向きに誘導起電力が発生する。
【００２４】
このため、磁気センサ２が移動され、磁性物体に近づいたり離れたりすることによって、磁気センサ２が移動する速度と、第１コイル５５および第２コイル５６の距離と、磁性物体との距離の変化（磁束密度の変化）とに応じた誘導起電力が磁気センサ２から出力される。
【００２５】
図１に戻って、増幅器３は、制御部３１、信号増幅部３２、Ａ／Ｄ変換部３３、ノイズ除去部３４、および通信部３５を備える。信号増幅部３２、Ａ／Ｄ変換部３３、ノイズ除去部３４、および通信部３５のそれぞれは、通信線（バス）を介して制御部３１に接続される。
【００２６】
信号増幅部３２は、磁気センサ２から入力される誘導起電力に応じたアナログ信号（入力信号）を増幅する増幅処理を行う。Ａ／Ｄ変換部３３は、信号増幅部３２によって増幅された入力信号を所定の周期（サンプリング周期）でデジタル信号（デジタル値）へと変換するＡ／Ｄ変換処理を行う。なお、デジタル値は、たとえば誘導起電力に相関する電圧値などである。また、サンプリング周期は、たとえば２ｍｓ〜１０ｍｓの範囲内で設定され、好ましくは４ｍｓである。
【００２７】
ノイズ除去部３４は、Ａ／Ｄ変換部３３で変換されたデジタル値からノイズをリアルタイムで連続的に除去するノイズ除去処理を行う。なお、ノイズ除去処理の具体的な内容は後述する。そして、ノイズ除去処理後のデジタル値に応じた出力信号が、通信部３５を介して記録装置４に送信される。
【００２８】
通信部３５は、無線通信回路を含み、記録装置４等の外部装置との間で送受されるデータ（たとえば出力信号のデータ等）の送受信処理を行う。すなわち、通信部３５は、出力信号を記録装置４に送信する送信部としても機能する。無線通信回路は、無線通信を行うための回路であり、通信アンテナに接続される。この無線通信回路は、ＩＥＥＥ８０２.１１等の公知の通信規格に準拠した無線通信方式に基づき、ＷｉＦｉなどの無線通信を使用して、外部装置との間で送受信される通信データの送受信処理を行う。これらのことは、後述する記録装置４の通信部４４も同様である。
【００２９】
記録装置４は、タブレットＰＣ、デスクトップＰＣ、ノート（ラップトップ）ＰＣまたはスマートフォンなどの汎用のコンピュータ（端末）で構成され、増幅器３から送信される出力信号を記録するためのものである。
【００３０】
記録装置４は、制御部４１、入力部４２、表示部４３、通信部４４、および補助記憶部４５を備える。入力部４２、表示部４３、通信部４４、および補助記憶部４５のそれぞれは、通信線を介して制御部４１に接続される。
【００３１】
制御部４１は、プロセッサ４６および主記憶部４７を含み、記録装置４における各種演算および制御動作を実行する。プロセッサ４６は、ＣＰＵまたはＭＰＵなどを含む演算処理部である。主記憶部４７は、ＲＡＭ（ＤＲＡＭ）およびＲＯＭなどを含む。ＲＡＭは、プロセッサ４６のワーク領域およびバッファ領域として用いられる。ＲＯＭは、起動プログラムや各種情報についてのデフォルト値等を記憶する。
【００３２】
入力部４２は、記録装置４の操作者（ユーザ）の操作入力を受け付ける入力部品および入力部品とプロセッサ４６との間に介在する入力検出回路を含む。入力部品は、たとえばキーボードまたは／およびコンピュータマウスであり、入力部品がキーボードである場合には、ハードウェアの操作ボタンないし操作キー（ハードウェアキー）が含まれる。また、入力部品としては、タッチパネルが用いられても良い。タッチパネルとしては、静電容量方式、電磁誘導方式、抵抗膜方式、赤外線方式など、任意の方式のものを用いることができる。入力部品がタッチパネルである場合には、ソフトウェア的に再現された操作キー（ソフトウェアキー）が含まれる。入力検出回路は、各入力部品の操作に応じた操作信号ないし操作データをプロセッサ４６に出力する。
【００３３】
表示部４３は、ディスプレイおよびディスプレイとプロセッサ４６との間に介在する表示制御回路を含む。ディスプレイとしては、たとえばＬＣＤ（液晶ディスプレイ）または有機ＥＬディスプレイなどを用いることができる。表示制御回路は、ＧＰＵおよびＶＲＡＭなどを含む。プロセッサ４６の指示の下、ＧＰＵは、ＲＡＭに記憶された画像生成用のデータを用いてディスプレイに種々の画面を表示するための表示画像データをＶＲＡＭに生成し、生成した表示画像データをディスプレイに出力する。たとえば、増幅器３から送信される出力信号を可視化した記録画面等がディスプレイに出力（表示）される。なお、入力部品がタッチパネルである場合には、ディスプレイの表示面上にタッチパネルが設けられ、ディスプレイの表示面上にソフトウェアキーが表示される。
【００３４】
補助記憶部４５は、ＨＤＤ、ＳＳＤ、フラッシュメモリ、ＥＥＰＲＯＭなどの他の不揮発性メモリで構成され、プロセッサ４６が記録装置４の動作を制御するための制御プログラムおよび各種データなどを記憶する。増幅器３から送信される出力信号のデータは、補助記憶部４５に記憶（蓄積）される。
【００３５】
また、補助記憶部４５は、ユーザの操作入力に応じて記録装置４の各種動作を実行するための制御プログラム４８と、本システムの利用に必要となる記録データ４９とを記憶している。
【００３６】
制御プログラム４８および記録データ４９は、必要に応じて補助記憶部４５から読み出され主記憶部４７（ＲＡＭ）に記憶される（展開される）。記録装置４の記録動作は、プロセッサ４６が主記憶部４７（ＲＡＭ）に展開された制御プログラム４８を実行することによって実現される。
【００３７】
なお、図１に示す増幅器３および記録装置４の構成は、単なる一例であり、これに限定される必要はない。たとえば、記録装置４は、ロール紙等の用紙に出力信号に関する情報をインクで描き記録する、いわゆるペンレコーダであってもよい。
＜磁気探査方法例＞
【００３８】
磁気探査システム１を使用して、地中に存在する磁性物体を探査する方法を説明する。図３は磁気探査方法の一例を示す説明図である。図３に示すように、磁性物体を探査する探査区域に所定間隔（たとえば０．５ｍ〜１ｍ間隔）の探査側線を設定した探査測線図を作成しておく。次に、設定した探査側線に合わせて、探査区域の地面にロープ等の探査測線の目印となる物を設置する。なお、探査側線は、複数設置され、複数の探査側線のそれぞれには、各探査側線を識別するための識別情報（たとえば番号等）が割り当てられる。
【００３９】
そして、磁気センサ２を2人の探査員がつり下げて支持した状態で探査測線に沿って歩行し、磁気センサ２を移動させる。地中に磁性物体が存在する場合には、磁気センサ２の第１コイル５５および第２コイル５６に誘導起電力が生じ、これに応じた出力信号が増幅器３から出力される。記録装置４が出力信号を受信すると、出力信号が表示部４３のディスプレイに表示される。
【００４０】
ただし、磁気センサ２は、地上高さが所定高さ（０．０５ｍ〜０．１５ｍ、好ましくは０．１ｍ）になるように支持され、所定速度（０．８ｍ／秒〜１．２ｍ／秒、好ましくは１ｍ／秒）で移動される。
【００４１】
このような磁気探査方法（水平磁気探査方法）では、磁気センサ２が移動されるとき、磁気センサ２の移動が一定でなく、磁気センサ２の移動にばらつき（移動ノイズ）が生じることがある。たとえば、移動ノイズには、地面の傾斜、凹凸または泥濘の影響、各探査員の歩行リズムの違い等の影響による歩行ノイズ等が含まれる。この移動ノイズは、第１コイル５５および第２コイル５６で生じる誘導起電力に影響を与え、磁性物体の検出精度の低下につながる。
【００４２】
そこで、本発明では、増幅器３が備えるノイズ除去部３４は、Ａ／Ｄ変換部３３で変換されたデジタル値から磁気センサ２の移動ノイズを除去するノイズ除去処理を行う。
＜ノイズ除去処理＞
【００４３】
増幅器３（ノイズ除去部３４）におけるノイズ除去処理を説明する。上述のとおり、Ａ／Ｄ変換部３３によって入力信号が所定のサンプリング周期でデジタル値へと変換される。このとき、デジタル値は、磁気センサ２の移動ノイズを含んでいることがある。図４は移動ノイズを含むデジタル値の一例を示すグラフである。図４に示すグラフは、横軸を時間軸、縦軸を信号強度軸としており、時間軸上に測定時刻、信号強度軸に出力値（電圧値，デジタル値）を表示している。図４に示すグラフは、磁気センサ２の近くに磁性物体が無い状態のデジタル値を示すものであるが、移動ノイズによってデジタル値が小刻みに変動している（移動ノイズが現れている）。
【００４４】
本発明者は、デジタル値に大きく影響を与えている移動ノイズの周波数帯を見出すべく、デジタル値に現れているときの磁気センサ２の加速度（ヨー・ピッチ・ロール）を測定する実験を行った。
【００４５】
図５はこの実験結果（移動ノイズ発生時における磁気センサ２の加速度）を示すグラフである。なお、この実験では、磁気センサ２の長手方向（探査員の進行方向）を前後方向としており、また、グラフの数値は１０００倍したものである。「ヨー（ヨーイング）」とは、上下方向を軸とした水平面内の回転のことであり、磁気センサ２の両端部の左右の揺れのことをいう。「ピッチ（ピッチング）」とは、左右方向を軸とした回転のことであり、磁気センサ２の両端部の上下の揺れのことをいう。「ロール（ローリング）」とは、前後方向（磁気センサ２の軸線）を軸にした回転のことである。
【００４６】
図５のグラフのとおり、「ピッチ」の影響が大きく、「ヨー」および「ロール」の影響は小さいことがわかる。また、「ピッチ」の加速度は、１Ｈｚ付近に集中していることがわかる。これらのことから、「ピッチ」の動き（磁気センサ２の前後の上下方向の動き）が誘導起電力に与える影響が大きく、磁性物体の検出漏れまたは誤検出の原因となる。
【００４７】
「ピッチ」の動きを移動ノイズ（歩行ノイズ）とすると、少なくとも１Ｈｚを含む周波数帯（０．５Ｈｚ〜１．５Ｈｚ、好ましくは０．８Ｈｚ〜１．１Ｈｚ）に相当する範囲（ノイズ範囲）を減衰ないし除去することによって、移動ノイズの影響を抑制ないし防止できると考えられる。なお、移動ノイズの周波数帯に相当する範囲（ノイズ範囲）とは、Ａ／Ｄ変換部３３によって入力信号をデジタル値にするサンプリング周期の時間におけるデジタル値の変化量がどの範囲に入るかによって定める。これにより、デジタル値が２０個以下（好ましくは１０個以下）という少ない数（最小では２つ）の連続するデジタル値で移動ノイズを判定して減衰ないし除去することができ、リアルタイムでの処理が可能となる。
【００４８】
ノイズ除去部３４におけるノイズ除去処理では、まず、Ａ／Ｄ変換部３３によって入力信号が所定周期で（所定時間毎に）デジタル値へと変換されると、連続する２つのデジタル値の変化量（先のデジタル値に対する後のデジタル値の変化量または差分）がノイズ範囲に含まれるかどうかが判断される（判断ステップ）。すなわち、ノイズ除去部３４は、デジタル値の変化量が移動ノイズの周波数帯に相当するノイズ範囲に含まれるかどうかを判断する判断部としても機能する。
【００４９】
デジタル値の変化量がノイズ範囲に含まれる場合には、変化量に応じた減衰値（減衰量）が設定される（設定ステップ）。たとえば、デジタル値の変化量の所定割合（３０％〜８０％）に相当する値が減衰値として設定される。
【００５０】
ただし、ノイズ範囲が２以上の範囲に分割され、範囲毎に減衰値の設定方法が異なるようにしてもよい。たとえば、ノイズ範囲が０．８Ｈｚ〜１．１Ｈｚに相当する範囲である場合、０．９Ｈｚを閾値として、０．８Ｈｚ以上０．９Ｈｚ未満を第１範囲とし、０．９Ｈｚ以上１．１Ｈｚ以下を第２範囲とする。この場合、デジタル値の変化量が第１範囲（閾値よりも低周波数帯に相当する範囲）に含まれる場合には、デジタル値の変化量が第２範囲（閾値よりも高周波数帯に相当する範囲）に含まれる場合よりも減衰値を大きく設定する。詳しくは、デジタル値の変化量が第１範囲に含まれる場合には、変化量の８０％に相当する値が減衰値として設定され、デジタル値の変化量が第２範囲に含まれる場合には、変化量の８０％に相当する値が減衰値として設定される。
【００５１】
そして、設定された減衰値の分、後のデジタル値が減衰され（減衰ステップ）、減衰後のデジタル値に応じた出力信号が出力される。すなわち、ノイズ除去部３４は、デジタル値を減衰させる減衰部としても機能する。なお、減衰対象となったデジタル値に対する後のデジタル値の変化量を判断する場合には、減衰前のデジタル値が用いられる。
【００５２】
一方、デジタル値の変化量がノイズ範囲に含まれる場合には、ノイズ除去処理は実施されず、Ａ／Ｄ変換部３３によって変換されたデジタル値に応じた出力信号が出力される。
【００５３】
また、Ａ／Ｄ変換部３３で入力信号がデジタル値へと変換される度に、ノイズ除去処理が行われてもよいし、所定数（たとえば５〜１０個）のデジタル値が貯まった場合に、貯まっている複数個のデジタル値についてまとめて（一度に）ノイズ除去処理が行われてもよい。この場合、ノイズ除去処理後に、複数個のデジタル値のそれぞれに応じた出力信号が出力される。このようにすれば、増幅器３の制御部３１および記録装置４の制御部４１等のハードウェア資源を有効活用できる。ただし、複数個のデジタル値についてまとめてノイズ除去処理が行われる場合には、最後のデジタル値は、次回のノイズ除去処理の最初（１個目）のデジタル値となる。
【００５４】
図６はノイズ除去処理後のデジタル値の一例を示すグラフである。以上のように、移動ノイズの周波数帯に相当するノイズ範囲に含まれる場合に、デジタル値を減衰させるので、図６に示すように、デジタル値における移動ノイズの影響を抑制ないし防止し、磁性物体の存在による磁気センサ２の出力を鮮明化することができる。
【００５５】
以上の構成および動作により、移動可能なコイル式の磁気センサ２から入力されるアナログ信号が所定の周期でデジタル値に変換され、デジタル値から磁気センサ２の移動ノイズが除去された上で出力されるので、移動ノイズの影響を抑制ないし防止し、磁性物体（探査対象物）の検出精度を向上させることができる。
【００５６】
また、連続する２つのデジタル値の変化量が移動ノイズの周波数帯に相当するノイズ範囲に含まれるかどうかが判断され、変化量がノイズ範囲に含まれる場合に、変化量に応じた減衰値が設定され、設定された減衰値の分、後のデジタル値が減衰されるので、移動ノイズの影響を適切に抑制ないし防止することができる。
【００５７】
さらに、ノイズ範囲は、閾値未満の周波数帯に相当する第１範囲（周期が長い範囲）と、閾値以上の周波数帯に相当する第２範囲（周期が短い範囲）とを含み、変化量が第１範囲に含まれる場合に、変化量が第２範囲に含まれる場合よりも減衰値を大きく設定するので、ノイズの周波数帯に応じて、適切に減衰値を設定することができ、移動ノイズの影響をより適切に抑制ないし防止することができる。
【００５８】
さらにまた、磁気センサ２は、人間が持ち運び可能な可搬型のセンサであって、移動ノイズは、人間の歩行ノイズを含み、デジタル値から歩行ノイズを除去するので、探査員が磁気センサ２をつり下げて支持した状態で歩行する場合に、磁性物体の検出精度を向上させることができる。
＜記録処理＞
【００５９】
以下、図７〜図１０を参照して、記録装置４における記録処理を説明する。図７〜図１０に示すように、磁気探査システム１で磁性物体を探査する場合、記録装置４の表示部４３（ディスプレイ）には、記録画面１００が表示される。以下、図７〜図１３を参照して説明する各画面は、記録装置４のディスプレイに表示されるものとする。
【００６０】
図７は記録画面１００の画面構成の説明図である。図７に示すように、記録画面１００は、出力波形表示部１０１、メイン操作部１０２、設定表示部１０４、第１付加情報部１０５、および第２付加情報部１０６を含む。
【００６１】
出力波形表示部１０１には、増幅器３から送信される出力信号に応じた出力波形１０３が時系列に従ってリアルタイムに表示される。また、出力波形表示部１０１には、出力波形１０３の中心位置に合わせて出力波形１０３用の目盛線が表示されている。本実施形態では、出力波形１０３は、上から下に向かって出力（描画）され、左右方向が幅方向となる。すなわち、出力波形表示部１０１は、上下方向を時間軸、左右方向を信号強度軸としており、時間軸上に測定時刻、信号強度軸に出力値（電圧値，デジタル値）を示した出力波形１０３を表示する。表示されている出力波形１０３は、上端部分（端部）に最新の出力値（電圧値，デジタル値）が表示され、時間経過に伴って下方（一方）へ移動していくことで、連続する出力波形１０３となっていく。上端部分に表示する最新の出力値（電圧値，デジタル値）は、１つの出力値としてもよいが、所定個数の出力値を一度に表示する構成としてもよい。この場合、微小時間の複数個数の出力値を一度に表示することで、処理時間の短縮と連続描画の自然さを両立することができる。出力波形表示部１０１には、出力波形１０３が単数または複数表示される。本実施形態では、３つの出力波形１０３Ａ、１０３Ｂ、１０３Ｃが並行して表示される。
【００６２】
ただし、複数の出力波形１０３が表示される場合であっても、各出力波形は、同じ出力信号に応じた出力波形となっており、複数の出力波形１０３のそれぞれは、区別できるように互いに異なる表示態様で表示される。出力波形１０３の表示態様の種類としては、色彩、および振幅のレンジ等がある。
【００６３】
振幅のレンジは、出力波形の幅方向の表示範囲を規定するものであり、出力信号の単位に合わせて設定され、たとえば、出力信号が誘導起電力に相関する電圧値である場合には、電圧値で設定される。本実施形態では、振幅のレンジは１Ｖ〜１０Ｖの範囲内で設定することができる。この場合、同じ出力信号に応じた出力波形であっても、振幅のレンジとしての電圧値が低ければ、振れ幅が大きくなり、振幅のレンジとしての電圧値が高ければ、振れ幅が小さくなる。本実施形態では、出力波形１０３Ａ〜１０３Ｃのそれぞれは、互いに異なる色彩が付されており、かつ、互いに異なる振幅のレンジが設定されている。詳しくは、出力波形１０３Ａは、出力波形１０３Ｂよりも振幅のレンジとしての電圧値が低く設定されており、出力波形１０３Ｃは、出力波形１０３Ｂよりも振幅のレンジとしての電圧値が高く設定されている。以上、出力波形１０３について説明したが、これらのことは、後述する出力波形１７３および出力波形１９３も同様である。
【００６４】
設定表示部１０４は、出力波形表示部１０１に表示される出力波形１０３の表示態様の設定情報（表示設定情報）が表示される。出力波形１０３の表示設定情報には、振幅のレンジの情報および表示／非表示の別を示す情報が含まれる。また、複数の出力波形１０３が表示可能な場合は、出力波形１０３毎の表示設定が表示される。これらのことは、後述する設定表示部１７４および設定表示部１９４も同様である。
【００６５】
第１付加情報部１０５は、出力波形１０３の波形乱れの原因となり得る複数種類の障害物の情報（障害物情報）と、複数の障害物のそれぞれに割り当てられた（対応する）複数の操作キー（障害物情報付加キー）の情報とが表示される。出力波形１０３の波形乱れの原因となり得る障害物は、探査対象物以外の磁性物体であり、たとえば、金属製の建屋、電柱、側溝、金属製のフェンス、金属屑、鋼材、および車両（自動車、自転車等を含む）等である。これらのことは、後述する第１付加情報部１７５および第１付加情報部１９５も同様である。
【００６６】
第２付加情報部１０６は、出力波形１０３に係る複数の出力波形情報と、複数の出力波形情報のそれぞれに割り当てられた複数の操作キー（出力波形情報付加キー）の情報とが表示される。出力波形１０３に係る出力波形情報は、出力波形１０３を特定するための情報であり、たとえば、出力波形１０３に対応する出力信号が取得された現場の名称（現場名）の情報、当該現場における探査側線の識別情報（側線番号）、および出力波形１０３の振幅のレンジの情報等である。これらのことは、後述する第２付加情報部１７６および第２付加情報部１９６も同様である。
【００６７】
なお、障害物情報および出力波形情報のそれぞれを出力波形１０３に付加される付加情報ということもできる。また、複数の障害物情報付加キーのそれぞれと、複数の出力波形情報付加キーのそれぞれとは、ハードウェアキー（たとえばキーボードに含まれるキー）であってもよいし、ソフトウェアキーであってもよい。
【００６８】
メイン操作部１０２は、記録画面１００における各種操作を受け付けるために設けられ、メイン操作部１０２の上部には、現場名の情報またはこれを含むデータ名等が表示される。
【００６９】
メイン操作部１０２は、記録済波形表示部１０７、現在情報表示部１０８、更新設定部１０９、記録期間設定部１１０、記録切替キー１１１、記録指示キー１１２、巻き戻しキー１１３、早送りキー１１４、保存実行キー１１５、消去キー１１６、設定キー１１７、および閉じるキー１１８を含む。なお、記録切替キー１１１、記録指示キー１１２、巻き戻しキー１１３、早送りキー１１４、保存実行キー１１５、消去キー１１６、設定キー１１７、および閉じるキー１１８は、ソフトウェアキーである。
【００７０】
記録済波形表示部１０７は、既に記録されている記録済の出力波形１０３（記録済波形）の情報が表示される。ただし、記録済波形は、側線番号毎に区別可能に記録されており、側線番号を指定して記録済波形を選択することによって、記録済波形を出力波形表示部１０１に表示させることができる。
【００７１】
現在情報表示部１０８は、出力波形表示部１０１に現在表示されている出力波形１０３に割り当てられる側線番号の情報が表示される。本実施形態では、現在情報表示部１０８には、記録済の出力波形１０３の側線番号に連続する番号（更新番号）が自動的に入力される。ただし、現在情報表示部１０８には、テキストボックス（入力欄）であり、側線番号としての任意の数字を入力（側線番号を指定）することもできる。
【００７２】
更新設定部１０９は、現在情報表示部１０８に自動的に入力される更新番号の設定をするために設けられ、記録済の出力波形１０３の側線番号に１を加算する設定が割り当てられたチェックボックス（加算ボックス）と、記録済の出力波形１０３の側線番号から１を減算する設定が割り当てられたチェックボックス（減算ボックス）とが設けられる。ただし、加算ボックスおよび減算ボックスのいずれか一方にチェックマークが表示されており、チェックマークが表示されていないチェックボックスが操作されることに応じてチェックマークが移動する。
【００７３】
記録期間設定部１１０は、出力波形１０３を記録することができる記録可能期間（記録可能範囲）を設定するために設けられ、記録可能期間の始期を設定するテキストボックス（始期ボックス）と、記録可能期間の終期を設定するテキストボックス（終期ボックス）とを含む。なお、初期値として、始期ボックスに最小値が、終期ボックスには最大値が入力されているが、それぞれのボックスに任意の数字を入力して、記録可能期間を指定することもできる。
【００７４】
記録切替キー１１１は、出力波形１０３を記録（出力）するかどうか（ペンアップ／ペンダウン）の設定（出力設定）を切り替えるための操作キーである。磁気探査システム１で磁性物体を探査する場合には、増幅器３から送信される出力信号は、ペンアップ／ペンダウンにかかわらず入力されるが、出力設定がオフ（ペンアップ）の場合には、出力波形１０３が出力されず、出力設定がオン（ペンダウン）の場合に、出力波形１０３が出力される。また、本実施形態では、障害物情報付加キーおよび出力波形情報付加キー以外の任意のハードウェアキーに記録切替キー１１１と同様の機能が割り当てられている。
【００７５】
記録指示キー１１２は、出力波形１０３の記録の開始および終了（停止）の指示を受け付けるための操作キーである。出力波形１０３が記録されていないとき（記録中でないとき）に記録指示キー１１２が操作されると、出力波形１０３の記録が開始され、出力波形１０３が記録されているとき（記録中のとき）に出力波形１０３の記録が終了する。出力波形１０３の記録が終了すると、現在情報表示部１０８に表示されている側線番号が割り当てられて出力波形１０３のデータが記録される。たとえば、磁気センサ２を支持した探査員が探査側線の起点を出発するときに記録指示キー１１２が操作されて出力波形１０３の記録が開始され、磁気センサ２を支持した探査員が探査側線の終点に到達したときに記録指示キー１１２が再度操作されて出力波形１０３の記録が終了される。
【００７６】
また、本実施形態では、障害物情報付加キー、出力波形情報付加キーおよび記録切替キー１１１と同様の機能が割り当てられた操作キー以外の任意のハードウェアキーに記録指示キー１１２と同様の機能が割り当てられている。
【００７７】
巻き戻しキー１１３は、出力波形表示部１０１に表示されている出力波形１０３を巻き戻すための操作キーであり、早送りキー１１４は、出力波形表示部１０１に表示されている出力波形１０３を早送りするための操作キーである。保存実行キー１１５は、記録済波形のデータを側線番号毎に補助記憶部４５に保存（記憶）するための操作キーである。消去キー１１６は、出力波形表示部１０１に表示されている出力波形１０３および／または記録済波形を消去するための操作キーである。設定キー１１７は、記録画面１００における詳細設定を行うための操作キーである。閉じるキー１１８は、記録画面１００を閉じるための操作キーである。以上、メイン操作部１０２について説明したが、これらのことは、後述するメイン操作部１７２およびメイン操作部１９２も同様である。
【００７８】
図８は設定ウインドウ１３０を含む記録画面１００の画面構成の説明図である。設定キー１１７が操作されると、図８に示すように、設定ウインドウ１３０が表示される。設定ウインドウ１３０は、表示設定部１３１，付加情報設定部１３２、その他設定部１３３、および閉じるキー１３４を含む。
【００７９】
表示設定部１３１は、出力波形１０３の表示態様の設定（表示設定）を行うために設けられる。出力波形１０３の表示態様としては、上述した色彩、振幅のレンジに加え、出力速度等があり、それぞれ任意のものを設定することができる。出力速度は、記録画面１００上で出力波形１０３が出力される速度（上下方向の描画速度）のことであり、本実施形態では、１００ｍｍ／分〜５００ｍｍ／分の範囲内で設定することができる。
【００８０】
なお、本実施形態では、並行して表示される３つの出力波形１０３Ａ〜１０３Ｃが表示されており、出力波形１０３Ａ〜１０３Ｃのそれぞれの色彩、および振幅のレンジを個別に設定することができ、さらに、それぞれの出力波形１０３Ａ〜１０３Ｃの表示／非表示を設定することもできる。
【００８１】
付加情報設定部１３２は、障害物情報付加キーとして設定可能な操作キーのそれぞれに対する、障害物の割り当て（対応付け）を行うために設けられる。付加情報設定部１３２は、障害物情報付加キーとして設定可能な操作キーのそれぞれに対応するテキストボックスが設けられ、各テキストボックスには任意の文字を入力することができる。また、各テキストボックスで、予め登録された障害物に対応する文字列をプルダウンメニューによって選択できるようにしてもよい。
【００８２】
また、付加情報設定部１３２は、登録キー１３２Ａおよび戻すキー１３２Ｂを含む。登録キー１３２Ａは、付加情報設定部１３２で設定された内容を登録するための操作キーであり、戻すキー１３２Ｂは、付加情報設定部１３２で設定された内容を破棄して変更前の状態（前回登録時の状態）に戻すためのキーである。
【００８３】
その他設定部１３３は、位置補正機能の設定を行う補正機能設定部および各出力波形１０３の振幅を確認するための振幅確認部を含む。位置補正機能とは、出力波形１０３の出力値に応じて、出力波形１０３の中心位置または目盛線の位置を補正する機能のことである。補正機能設定部は、位置補正機能の実行を開始する開始キー、位置補正機能の実行を中断（中止）する中断キー、および位置補正機能を無効化するリセットキーを含む。閉じるキー１３４は、設定ウインドウ１３０を閉じるための操作キーである。
【００８４】
図７に戻って、記録画面１００には、第１指標画像１１９および第２指標画像１２０が表示される。第１指標画像１１９は、ディスプレイ上（記録画面１００上）のユーザ操作に応じた入力位置を示す画像のことであり、いわゆるポインタ画像と呼ばれるものである。この第１指標画像１１９は、コンピュータマウスの操作、タッチパッドまたはタッチパネルに対するタッチ操作に応じてディスプレイ（記録画面１００）の表示範囲内の任意の位置に表示される。これらのことは、後述する第１指標画像１７７および第１指標画像１９７も同様である。
【００８５】
第２指標画像１２０は、記録画面１００の表示範囲において、あらかじめ定められた位置に固定的に表示される。たとえば、第２指標画像１２０は、出力波形表示部１０１の範囲内であって、出力波形１０３の表示範囲（最大振幅時の表示範囲）外に配置される。これらのことは、後述する第２指標画像１７８および第２指標画像１９８も同様である。
【００８６】
図９は障害物情報１２１および出力波形情報１２２が表示された場合の記録画面１００の画面構成の説明図である。記録画面１００が表示された状態で、障害物情報付加キーが操作されると、図９に示すように、第１指標画像１１９の表示位置に、操作された障害物情報付加キーに割り当てられた障害物情報（障害物情報スタンプ）１２１が表示される。詳しくは、第１指標画像１１９の表示位置の近傍に、障害物情報１２１が表示される。なお、第１指標画像１１９の表示位置の近傍とは、第１指標画像１１９の表示位置に上下左右のいずれかに隣接する位置を含む。また、障害物情報１２１のデータ（位置および種類を示すデータ）は、出力波形１０３のデータ（位置のデータ）に紐づけられて補助記憶部４５に記憶される。位置のデータとは、時間軸と信号強度軸のグラフ上における位置を示すデータである。
【００８７】
たとえば、障害物情報として「自動車通過」が割り当てられた障害物情報付加キーが操作されると、「自動車通過」を示す障害物情報１２１が第１指標画像１１９の表示位置（時間軸および信号強度軸上の位置）に表示される。
【００８８】
したがって、磁気探査システム１では、出力波形１０３の波形乱れの原因となり得る複数種類の障害物の影響を受けた場合に、記録装置４のユーザ（記録員）が障害物情報付加キーを操作して、リアルタイムで障害物情報１２１を記録することができる。たとえば、出力波形１０３における障害物の影響を受けた部分に第１指標画像１１９を合わせた状態で障害物情報付加キーを操作することによって、出力波形１０３における障害物の影響を受けた部分に障害物情報１２１を記録することができる。
【００８９】
このようにすれば、記録された出力波形１０３のデータから、探査対象物であるか障害物であるかを容易に判断することができる。すなわち、探査対象物と障害物とを容易に見極めることができる。
【００９０】
また、記録画面１００が表示された状態で、出力波形情報付加キーが操作されると、第２指標画像１２０の表示位置に、操作された出力波形情報付加キーに割り当てられた出力波形情報（出力波形情報スタンプ）１２２が表示される。詳しくは、第２指標画像１２０の表示位置の近傍に、出力波形情報１２２が表示される。また、出力波形情報１２２のデータは、出力波形１０３のデータに紐づけられて補助記憶部４５に記憶される。
【００９１】
たとえば、出力波形情報として「側線番号」が割り当てられた出力波形情報付加キーが操作されると、出力波形表示部１０１に現在表示されている出力波形１０３に割り当てられる側線番号を示す出力波形情報１２２が表示される。
【００９２】
このようにすれば、記録された出力波形１０３のデータから、出力波形１０３を特定するための情報である出力波形情報を容易に認識することができるので、利便性を向上させることができる。
【００９３】
なお、図９に示す例では、障害物情報１２１および出力波形情報１２２のそれぞれは文字列で表現されるが、障害物情報または出力波形情報を表す記号または画像等、他の態様で表現されてもよい。
【００９４】
図１０は障害物情報１２１を削除する場合の記録画面１００の画面構成の説明図である。記録画面１００に表示された障害物情報１２１および出力波形情報１２２のそれぞれは、個別に選択することができる。たとえば、ユーザ操作により任意の範囲（指定範囲）が指定された場合に、少なくとも一部が指定範囲に含まれる障害物情報１２１および出力波形情報１２２が選択された状態となる。なお、範囲を指定するユーザ操作としては、コンピュータマウスの操作またはタッチパネルへのタッチ操作によるスライド（ドラッグ）操作や、指定範囲にの対角を規定する２点を指示する操作（２点タッチ操作）などがある。
【００９５】
障害物情報１２１または出力波形情報１２２が選択されると、選択中の障害物情報１２１または出力波形情報１２２を削除するかどうかを選択するための選択ウインドウ１２３が表示される。選択ウインドウ１２３は、選択中の障害物情報１２１または出力波形情報１２２を削除する削除キー１２４と、選択中の障害物情報１２１または出力波形情報１２２を削除せずに選択ウインドウ１２３を閉じるキャンセルキー１２５とを含む。なお、選択ウインドウ１２３が表示されているときは、削除キー１２４またはキャンセルキー１２５を操作する以外の操作ができないようになっている。
【００９６】
このようにすれば、障害物情報１２１または出力波形情報１２２が誤って表示されてしまった場合であっても、障害物情報１２１または出力波形情報１２２を簡単に削除することができる。
＜解析処理＞
【００９７】
以下、図１１〜図１３を参照して、記録装置４における解析処理を説明する。図１１は解析画面１４０の画面構成の説明図である。図１１に示すように、磁気探査システム１で解析処理が実行される場合、記録装置４の表示部４３（ディスプレイ）には、解析画面１４０が表示される。
【００９８】
解析画面１４０は、補助記憶部４５に記憶された側線番号毎の記録済波形のデータ（出力波形１０３のデータ）を解析するための画面である。解析画面１４０は、出力波形表示部１４１、データ選択部１４２、異常点表示部１４３、一覧表示キー１４４、およびマップ表示キー１４５を含む。なお、一覧表示キー１４４およびマップ表示キー１４５は、ソフトウェアキーである。
【００９９】
出力波形表示部１４１には、補助記憶部４５から読み出された記録済波形のうち、解析対象として指定された出力波形１０３が時系列に従って表示される。また、出力波形表示部１４１には、出力波形表示部１０１と同様に、出力波形１０３用の目盛線が表示される。また、出力波形表示部１４１では、コンピュータマウスの操作またはタッチパネルへのタッチ操作によるスライド（ドラッグ）操作によって出力波形１０３の表示位置を移動させることができ、さらに、コンピュータマウスのスクロール操作またはタッチパネルへのピンチイン／ピンチアウト操作等によって、出力波形１０３を拡大表示したり、縮小表示したりすることができる。
【０１００】
そして、出力波形１０３上の、解析対象となる１周期分の波形を規定する４つの指定点Ｐ１〜Ｐ４が指定されると、指定点Ｐ１〜Ｐ４で規定される波形の振幅および波長等から、磁気量および埋没深度等が自動的に算出される。磁気量および埋没深度等が算出されると、磁気量および埋没深度等の情報を含む解析結果情報１４６が出力波形表示部１４１の所定位置（たとえば出力波形１０３と重ならない位置）に表示される。
【０１０１】
また、指定点Ｐ１〜Ｐ４のそれぞれの位置は、スライド操作等によって変更（調整）可能である。指定点Ｐ１〜Ｐ４のいずれかの位置が変更されると、変更後の位置に基づいて、磁気量および埋没深度等が再計算され、解析結果情報１４６が更新される。
【０１０２】
データ選択部１４２は、補助記憶部４５から読み出された記録済波形の情報が側線番号毎に表示される。データ選択部１４２に表示される記録済波形の情報は、個別に選択可能であり、選択された記録済波形は、解析対象の出力波形１０３として指定され、出力波形表示部１４１に表示される。
【０１０３】
また、データ選択部１４２に表示される記録済波形の情報のうち、解析済の記録済波形の情報と、解析されていない記録済波形の情報とは、区別できるように互いに表示態様が異なる。たとえば、解析済の記録済波形の情報は第１の色（たとえば黒色）で表示され、解析されていない記録済波形の情報は第１の色以外の第２の色（たとえば赤色）で表示される。このようにすれば、解析済の記録済波形と、解析されていない記録済波形とを容易に区別することができ、記録済波形の解析漏れを抑制ないし防止することができる。
【０１０４】
また、データ選択部１４２は、表示変更部１４２Ａを含む。表示変更部１４２Ａは、出力波形表示部１４１に表示される出力波形１０３の振幅のレンジを変更するために設けられ、たとえば、複数種類の振幅のレンジから任意のレンジを選択できるようにされている。
【０１０５】
異常点表示部１４３は、出力波形表示部１４１に表示されている出力波形１０３において解析された波形のうち、磁気量等から磁性物体（探査対象物および障害物を含む）が存在すると考えられる点（異常点）が一覧表示される。
【０１０６】
一覧表示キー１４４は、異常点を別画面で一覧表示するための操作キーであり、一覧表示キー１４４が操作されると、図１２に示すような一覧画面１５０が表示される。一覧画面１５０には、異常点の各種情報が表形式で一覧表示される。
【０１０７】
マップ表示キー１４５は、異常点を別画面でマップ（グラフ）表示するための操作キーであり、マップ表示キー１４５が操作されると、図１３に示すようなマップ画面１６０が表示される。マップ画面１６０は、グラフ表示部１６１、マーク変更部１６２、表示範囲変更部１６３、画像保存キー１６４、および閉じるキー１６５を含む。なお、画像保存キー１６４および閉じるキー１６５は、ソフトウェアキーである。
【０１０８】
グラフ表示部１６１には、グラフが表示される。このグラフの縦軸は側線番号であり、横軸は各探査側線における起点（始点）からの距離（ｍ）である。グラフ表示部１６１には、異常点を示すマーク画像１６６が表示される。上述したように、探査側線間の距離は予め定められているので、各探査側線の起点からの距離に応じて探査区域における異常点の位置を特定（推定）することができる。
【０１０９】
図１３に示す例では、４つの異常点に対応する４つのマーク画像１６６Ａ〜１６６Ｄが表示される。ただし、マーク画像１６６は、磁気量の範囲（磁気量ランク）に応じた表示態様で表示される。たとえば、マーク画像１６６は、磁気量ランクに応じて設定される、色彩および形状が異なる複数種類のマークの画像として表示される。
【０１１０】
マーク変更部１６２は、各磁気量ランクの範囲の変更および各磁気量ランクに対応するマークの各色彩および形状の変更を行うために設けられる。詳しくは、表示範囲変更部１６３は、グラフ表示部１６１の横軸（起点からの距離）の表示範囲（最小値および最大値）の変更およびグラフ表示部１６１の縦軸（側線番号）表示範囲（最小値および最大値）の変更を行うために設けられる。
【０１１１】
画像保存キー１６４は、少なくともグラフ表示部１６１の表示範囲を含むマップ画面１６０の一部または全部の画像を補助記憶部４５に保存（記憶）するための操作キーである。閉じるキー１６５は、マップ画面１６０を閉じるための操作キーである。
【０１１２】
この発明は本実施形態に限られず他の様々な実施形態とすることができる。また、上述の実施形態で挙げた画面および具体的な構成等は一例であり、実際の製品に応じて適宜変更することが可能である。
【０１１３】
上述の実施形態では、磁気センサ２は、探査員がつり下げて支持した状態で歩行することによって移動されるようにしたが、ロボットないしドローンによって移動されたり、ロープウェイ等の移動装置によって移動されたりしてもよい。これらの場合であっても、磁気センサ２の移動ノイズが発生する。
【０１１４】
また、上述の実施形態では、移動ノイズの周波数帯に相当する範囲をノイズ範囲として設定したが、探査対象物以外の磁性物体に相当する範囲をノイズ範囲として設定してもよい。たとえば、地雷、砲弾または爆弾等を探査対象物とする場合には、金属屑や鋼材等の強磁性体に相当する範囲をノイズ範囲として設定することなどが考えられる。このようにすれば、強磁性体の影響を抑制ないし防止し、探査対象物の検出精度を向上させることができる。
【０１１５】
さらに、上述の実施形態では、磁気探査の方法として水平磁気探査方法を例に挙げて説明したが、本発明は、鉛直磁気探査方法にも適用することができる。鉛直磁気探査が実行される場合、鉛直方向に所定距離（たとえば３０ｃｍ）毎に複数回掘削し、掘削穴の下方に異常点が無いかを確認しながら鉛直磁気探査に必要な深さまで掘削する下方確認探査を実施した後に、鉛直磁気探査が実施される。
【０１１６】
図１４は下方確認探査時の記録画面１７０の画面構成の説明図である。図１４に示すように、記録画面１７０は、出力波形表示部１７１、メイン操作部１７２、設定表示部１７４、第１付加情報部１７５、および第２付加情報部１７６を含む。
【０１１７】
出力波形表示部１７１には、下方確認探査の１回分の探査範囲（掘削深さ）を示す複数のマーカ部１７１Ａが表示される。図１４に示す例では、１回分の探査範囲が３０ｃｍであり、１．５ｍまで３０ｃｍ毎に掘削して磁気センサ２を下降させた後、３０ｃｍ毎に磁気センサ２を上昇させた場合を示しており、３０ｃｍ毎にマーカ部１７１Ａが表示される。
【０１１８】
記録画面１７０では、マーカ部１７１Ａに対応する部分に、出力波形１７３（図１４に示す例では１７３Ａ，１７３Ｂ，１７３Ｃ）が表示される。図１４に示す例では、マーカ部１７１Ａ同士が所定間隔を隔てて配置されているので、出力波形１７３も所定間隔を隔てて断続的に表示される。
【０１１９】
記録画面１７０においても、障害物情報付加キーが操作されると、第１指標画像１７７の表示位置に、操作された障害物情報付加キーに割り当てられた障害物情報１７９が表示され、出力波形情報付加キーが操作されると、第２指標画像１７８の表示位置に、操作された出力波形情報付加キーに割り当てられた出力波形情報１８０が表示される。
【０１２０】
図１５は鉛直磁気探査時の記録画面１９０の画面構成の説明図である。図１５に示すように、記録画面１９０は、出力波形表示部１９１、メイン操作部１９２、設定表示部１９４、第１付加情報部１９５、および第２付加情報部１９６を含む。
【０１２１】
出力波形表示部１９１には、鉛直磁気探査の探査範囲（掘削深さ）を示すマーカ部１９１Ａが表示される。図１５に示す例では、鉛直磁気探査の探査範囲が５ｍであり、深さ０ｍから深さ５ｍまで磁気センサ２が下降した後、深さ５ｍから深さ０ｍまで上昇した場合を示しており、下降時と上昇時のそれぞれに対応するマーカ部１９１Ａが表示される。
記録画面１９０では、マーカ部１９１Ａに対応する部分に、出力波形１９３（図１５に示す例では１９３Ａ，１９３Ｂ，１９３Ｃ）が表示される。
【０１２２】
記録画面１９０においても、障害物情報付加キーが操作されると、第１指標画像１９７の表示位置に、操作された障害物情報付加キーに割り当てられた障害物情報１９９が表示され、出力波形情報付加キーが操作されると、第２指標画像１９８の表示位置に、操作された出力波形情報付加キーに割り当てられた出力波形情報２００が表示される。
【０１２３】
なお、マーカ部１７１Ａおよびマーカ部１９１Ａのそれぞれは、記録装置４の特定の操作キーが操作されることによって、表示／非表示が切り替えられるようにしてもよい。
【０１２４】
以上のように、鉛直磁気探査においても、記録された出力波形のデータから、探査対象物であるか障害物であるかを容易に判断し、探査対象物と障害物とを容易に見極めることができる。
【産業上の利用可能性】
【０１２５】
この発明は、地中に存在する磁性物体を探査するような産業に利用することができる。
【符号の説明】
【０１２６】
１…磁気探査システム
２…磁気センサ
５５…第１コイル
５６…第２コイル
３…増幅器
３１…制御部
３２…信号増幅部
３３…Ａ／Ｄ変換部
３４…ノイズ除去部
３５…通信部
４…記録装置
４１…制御部
４２…入力部
４３…表示部
４４…通信部
４５…補助記憶部
【要約】
【課題】探査対象物と障害物とを容易に見極めることができる。
【解決手段】磁気探査システム１は、磁気センサ２の出力に基づく出力信号を送信する増幅器３、および増幅器３から送信される出力信号を記録する記録装置４を含む。記録装置４は、出力信号を時系列に従って取得する通信部４４、出力信号に応じた波形の出力波形のデータを記録する補助記憶部４５、出力波形をリアルタイム表示する表示部４３、および出力波形の波形乱れの原因となり得る障害物に割り当てられた障害物情報付加キーを含み、ユーザ操作を受け付ける入力部４２を備え、障害物情報付加キーが操作された場合に、ディスプレイ上の入力位置を示す指標画像（１１９）の表示位置に障害物の存在を示す障害物情報（１２１）を表示させ、障害物情報が表示されている場合に、出力波形のデータに、障害物情報のデータを紐づけて補助記憶部４５に記録させる。
【選択図】図１【図１】
0006799195.tif 000002
【図２】
0006799195.tif 000003
【図３】
0006799195.tif 000004
【図４】
0006799195.tif 000005
【図５】
0006799195.tif 000006
【図６】
0006799195.tif 000007
【図７】
0006799195.tif 000008
【図８】
0006799195.tif 000009
【図９】
0006799195.tif 000010
【図１０】
0006799195.tif 000011
【図１１】
0006799195.tif 000012
【図１２】
0006799195.tif 000013
【図１３】
0006799195.tif 000014
【図１４】
0006799195.tif 000015
【図１５】
0006799195.tif 000016